(57)【要約】      （修正有）【課題】桁串上に外挿入された算盤珠をいっぺんに算盤珠移動部材上に装着することができ、算盤枠を傾けて移動部材を一側に偏らせる場合にも移動部材の離脱を防止できる電子算盤を提供する。【解決手段】算盤枠に装着される各単位別桁串２００に上下方向にスライド可能に外挿された複数の算盤珠３００、及び各単位別桁串に外挿された算盤珠の下側でそれぞれの算盤珠の位置移動を検出する多数の位置検出手段５１１を含む算盤珠位置検出部５００を含む電子算盤であって、各単位別桁串に外挿された算盤珠の移動を案内する各単位別ガイドブロック４１０が一体に連結され、算盤珠位置検出部を全体的にカバーする算盤珠ガイドパネル４００と、ガイドパネルに算盤珠の数の分だけ設けられ、それぞれの桁串に外挿された算盤珠を移動可能に支持する多数の算盤珠移動部材６００とを含む。【選択図】図２
0003229244.tif 000002
【実用新案登録請求の範囲】
【請求項１】
算盤枠に装着される各単位別桁串に上下方向にスライド可能に外挿された複数の算盤珠、及び前記各単位別桁串に外挿された算盤珠の下側でそれぞれの算盤珠の位置移動を検出する多数の位置検出手段を含む算盤珠位置検出部を含む電子算盤であって、
前記各単位別桁串に外挿された算盤珠の移動を案内する各単位別ガイドブロックが一体に連結され、算盤珠位置検出部を全体的にカバーする算盤珠ガイドパネルと、前記ガイドパネルに算盤珠の数の分だけ設けられ、それぞれの桁串に外挿された算盤珠を移動可能に支持する多数の算盤珠移動部材とをさらに含むことを特徴とする、電子算盤。
【請求項２】
前記ガイドパネルは、単一パネル上に各単位別位置検出手段の配列を同時にカバーすることができる多数の下部区画と、前記各単位別桁串に外挿された算盤珠の配列が位置する多数の上部区画とを含み、前記下部区画はそれぞれのガイドブロックの底面に形成され、前記上部区画はそれぞれのガイドブロックの上面に形成されることを特徴とする、請求項１に記載の電子算盤。
【請求項３】
前記移動部材は、それぞれの算盤珠の外周縁端が入れられるＶ形定着溝が形成された頭部と、それぞれの位置検出手段のセンサーが算盤珠の位置移動を検出することができるように前記頭部の中央から下方に延びた細長い形状の延長突起とを含み、前記頭部は算盤珠厚さの２／３以下の幅を有することを特徴とする、請求項１に記載の電子算盤。
【請求項４】
前記移動部材は、頭部の側面形状が下端が広くて上方に行くほど次第に細くなる台形の構造を有することを特徴とする、請求項１に記載の電子算盤。
【請求項５】
前記ガイドパネルの各単位別ガイドブロックの表面には、前記移動部材の移動を案内するために、前記上部区画と下部区画の共通した長さ中央を貫通する複数の案内孔が形成されることを特徴とする、請求項２に記載の電子算盤。
【請求項６】
前記複数の案内孔は、各単位別ガイドブロックの上部区画と下部区画との間の境界面に各単位別移動部材の延長突起が移動自在に挿入される細長い形態の短案内孔及び張案内孔からなり、前記短案内孔は前記各単位別ガイドブロックの上側に一つの区間でなり、前記張側案内孔は前記各単位別ガイドブロックの下側に前記短案内孔の長さに対応する４個の区間でなることを特徴とする、請求項５に記載の電子算盤。
【請求項７】
前記移動部材は、頭部から下方に一定距離で離隔した地点に横方向に突出した係止突起を備え、前記係止突起は前記頭部の長さ方向に突出することを特徴とする、請求項１に記載の電子算盤。
【考案の詳細な説明】
【技術分野】
【０００１】
本考案は電子算盤に関するもので、より詳しくは組立が簡単で便利な電子算盤に関するものである。
【背景技術】
【０００２】
一般に、電子算盤は、使用者が各桁串に位置する算盤珠を動かせば、算盤珠の内部に位置する磁石が動いて磁場を発生させ、このときに発生した磁場は電子算盤の底面に位置する感知手段によって検出されることによって算盤珠の動きを検出することができるようになる。感知手段で検出された算盤珠の位置はデジタル信号に変換され、算盤珠の動きと桁串の位置による計算情報を分析手段で分析した後、分析されたデータをＵＳＢ接続ポートを介してコンピュータに伝送する。
【０００３】
しかし、このような構成の場合、算盤珠の位置及び動きを検出するための手段として算盤珠そのもの又はその内部を磁石で構成しなければならないので、製造工程が複雑になり、生産性が低下する問題点がある。よって、本出願人は韓国登録特許第０６６８６０６号公報を介して新しい構成の算盤珠位置検出装置を提案した。
【０００４】
この特許で、算盤珠位置検出装置の構成は、算盤枠１１０に取り付けられたそれぞれの桁串１３０に沿って移動可能に外挿される複数の算盤珠１２０、それぞれの算盤珠１２０の外周縁と密着し、外部からの光を遮断し、算盤珠の移動によって一緒に移動する複数の算盤珠移動部材２００、前記外部から流入する光を遮断し、前記算盤珠移動部材２００の移動経路を提供するガイド部材３００、それぞれの算盤珠移動部材２００に対応して一定の距離で離隔した状態で前記算盤珠１２０の移動を検出する検出部４００、前記検出部から出力される信号を分析し、算盤珠の移動による位置情報を分析する分析部（図示せず）、及び前記分析部から出力されるデータをコンピュータに伝送する伝送部（図示せず）を含み、それぞれの算盤珠移動部材２００は、上面に算盤珠１２０の外周縁と密着する挿入溝２２０が形成された支持板２１０、及び前記支持板の底面に下方に所定長さだけ延設された遮蔽部２３０を含み、前記検出部４００は、算盤珠１２０の元の位置に対応して設けられ、算盤珠の移動に対する検出信号を出力する発光部４１０、及び前記発光部から出力される移動検出用信号を受信する受光部４２０を含み、前記発光部４１０と受光部４２０はそれぞれ遮蔽部２３０の一側面から一定距離で離隔して平行に又は向き合って設けられる赤外線発光素子と受光素子からなる。
【０００５】
このような構成の電子算盤は、プリント基板に多数列に配列される検出部に対応して列当たりガイド部材を個別に装着する構造を有しているので、各ガイド部材の装着に長い時間がかかる問題があった。
【０００６】
また、それぞれのガイド部材は上部が開放した構造を有しているため、外部からの光を遮断することができず、この場合、光が流入してセンサーの感知を阻害することになる。
【０００７】
特に、前記特許の図４に示す構造では、それぞれの算盤珠を移動部材の挿入溝に入れて合わせるために、それぞれのガイド部材上でそれぞれの算盤珠移動部材と算盤珠の位置を一致させる作業を先行しなければならないので、組立作業が遅くて煩わしい問題が発生する。また、それぞれの移動部材に備えられる遮蔽部は上部の支持板とほぼ同じ幅になっているので、少しの位置ずれによっても他のセンサーを遮ることができ、作動エラーを引き起こすおそれがある。この場合、遮蔽部の幅を減らすことによって解決することができるが、この場合、下部の遮蔽部に比べて上部の支持板が余りにも重くなるので、例えば桁串に外挿された算盤珠をいっぺんに移動部材に入れるための作業として算盤枠を傾けて移動部材を一側に偏らせる場合、上部が重くなった移動部材がガイド部材に結合された状態で外側に溢れ出ることがあるので、組立作業がもっと遅くて煩わしくなる問題がある。
【０００８】
また、このような移動部材の溢れ出ることを防止するために、移動部材の上部の支持板を下部の遮蔽部の幅に比例して減らして重さの均衡を合わせることができるが、この場合、移動部材が余りにも一側に偏り、桁串上に設けられた算盤珠の間隔と一致しなくなり、再び算盤珠と移動部材の位置を一致させる作業を行わなければならないので、組立作業が遅くて煩わしくなる。
【先行技術文献】
【特許文献】
【０００９】
【特許文献１】韓国登録特許第０６６８６０６号公報
【考案の概要】
【考案が解決しようとする課題】
【００１０】
本考案は前記のような問題点を解決するために開発されたものであり、それぞれの桁串上に外挿入された算盤珠をいっぺんに算盤珠移動部材上に装着することができ、またこのために算盤枠を傾けて移動部材を一側に偏らせる場合にも移動部材の離脱を防止する構成の電子算盤を提供することにその目的がある。
【課題を解決するための手段】
【００１１】
このような目的を達成するための本考案の一形態によれば、算盤枠に装着される各単位別桁串に上下方向にスライド可能に外挿された複数の算盤珠、及び前記各単位別桁串に外挿された算盤珠の下側でそれぞれの算盤珠の位置移動を検出する多数の位置検出手段を含む算盤珠位置検出部を含む電子算盤であって、前記各単位別桁串に外挿された算盤珠の移動を案内する各単位別ガイドブロックが一体に連結され、算盤珠位置検出部を全体的にカバーする算盤珠ガイドパネルと、前記ガイドパネルに算盤珠の数の分だけ設けられ、それぞれの桁串に外挿された算盤珠を移動可能に支持する多数の算盤珠移動部材とをさらに含む電子算盤が提案される。
【００１２】
本考案によれば、前記ガイドパネルは、単一パネル上に各単位別位置検出手段の配列を同時にカバーすることができる多数の下部区画と、前記各単位別桁串に外挿された算盤珠の配列が位置する多数の上部区画とを含み、前記下部区画はそれぞれのガイドブロックの底面に形成され、前記上部区画はそれぞれのガイドブロックの上面に形成される。また、前記移動部材は、それぞれの算盤珠の外周縁端が入れられるＶ形定着溝が形成された頭部と、それぞれの位置検出手段のセンサーが算盤珠の位置移動を検出することができるように前記頭部の中央から下方に延びた細長い形状の延長突起とを含み、前記頭部は算盤珠厚さの２／３以下の幅を有することが好ましい。他の実施形態として、前記移動部材は、頭部の側面形状が下端が広くて上方に行くほど次第に細くなる台形の構造を有することができる。
【００１３】
前記ガイドパネルの各単位別ガイドブロックの表面には、前記移動部材の移動を案内するために、前記上部区画と下部区画の共通した長さ中央を貫通する複数の案内孔が形成され、前記複数の案内孔は、各単位別ガイドブロックの上部区画と下部区画との間の境界面に各単位別移動部材の延長突起が移動自在に挿入される細長い形態の短案内孔及び張案内孔からなり、前記短案内孔は前記各単位別ガイドブロックの上側に一つの区間でなり、前記張側案内孔は前記各単位別ガイドブロックの下側に前記短案内孔の長さに対応する４個の区間でなることこが好ましい。
【００１４】
本考案のさらに他の実施形態として、前記移動部材は、頭部から下方に一定距離で離隔した地点に横方向に突出した係止突起を備え、前記係止突起は前記頭部の長さ方向に突出することが好ましい。
【考案の効果】
【００１５】
上述した特徴により、本考案はそれぞれの桁串上に外挿された算盤珠をいっぺんに算盤珠移動部材上に装着することができ、またこのために算盤枠を傾けて移動部材を一側に偏らせる場合にも移動部材の離脱を防止することができ、組立がより簡単で容易になることができる利点がある。
【図面の簡単な説明】
【００１６】
【図１ａ】従来技術による電子算盤の構成を示す図である。
【図１ｂ】従来技術による電子算盤の構成を示す図である。
【図２】本考案による電子算盤の内部構成を示す斜視図である。
【図３ａ】図２に示す算盤珠ガイドパネルの平面図、底面図及び正面図である。
【図３ｂ】図２に示す算盤珠ガイドパネルの平面図、底面図及び正面図である。
【図３ｃ】図２に示す算盤珠ガイドパネルの平面図、底面図及び正面図である。
【図４ａ】図２に示す算盤珠移動部材の多様な形状を示す側面図である。
【図４ｂ】図２に示す算盤珠移動部材の多様な形状を示す側面図である。
【図５ａ】本考案の電子算盤の組立及び使用状態を示す断面図である。
【図５ｂ】本考案の電子算盤の組立及び使用状態を示す断面図である。
【図６】図２及び図４に示す算盤珠移動部材の変形例を示す斜視図である。
【図７】図６による算盤珠移動部材の設置状態を示す断面図である。
【考案を実施するための形態】
【００１７】
本考案の追加の詳細事項及び利点を添付図面に示す本考案の実施例に基づいて説明する。
【００１８】
以下の実施例では、考案の説明において必須な部分を除き、その図示及び説明を省略し、明細書全般にわたって同一又は類似の要素に対しては同じ符号を付与し、それについての詳細な説明は繰り返さずに省略する。
【００１９】
図２は本考案による電子算盤の内部構成を示す斜視図、図３は図２に示す算盤珠ガイドパネルの平面図、底面図及び正面図、図４は図２に示す算盤珠移動部材の多様な形状を示す側面図、図５は本考案の電子算盤の組立及び使用状態を示す断面図である。
【００２０】
本考案による電子算盤の主要構成は、算盤枠１００（図５参照）に装着される各単位別桁串２００に上下方向にスライド可能に外挿される複数の算盤珠３００と、これらの各単位別桁串２００に外挿された算盤珠３００の下側でそれぞれの算盤珠の位置移動を検出する多数の算盤珠位置検出手段５１１（以下、‘位置検出手段’という）を基本的に含み、追加的に各単位別桁串２００に外挿された算盤珠の移動を案内する各単位別ガイドブロック４１０が一体に連結され、プリント基板５００上の位置検出手段５１１からなる算盤珠位置検出部５１０を全体的にカバーする算盤珠ガイドパネル４００（以下、‘ガイドパネル’という）と、前記ガイドパネル４００に算盤珠３００の数の分だけ設けられ、それぞれの桁串２００に外挿された算盤珠３００を移動可能に支持する多数の算盤珠移動部材６００（以下、‘移動部材’と言う）とを含んでなることができる。ここで、位置検出手段５１１は、前記移動部材６００の動きを感知することができるように、多様なセンサー５１１ａ、例えば光センサー（ｏｐｔｉｃａｌ  ｓｅｎｓｏｒ）、近接センサー（ｐｒｏｘｉｍｉｔｙ  ｓｅｎｓｏｒ；位置センサー又は変位センサー）、照度センサー（ｉｌｌｕｍｉｎａｎｃｅ  ｓｅｎｓｏｒ）などを含むことができる。また、本出願人の前述した特許で説明するように、互いに対応する赤外線発光部と受光センサーからなり、移動部材６００の動きによって前記センサーの認識（ｓｅｎｓｉｎｇ）をオン（ＯＮ）／オフ（ＯＦＦ）させながら算盤珠の位置を検出することもできる。
【００２１】
図２で、未説明符号“５２０”は‘制御部’であり、算盤珠位置検出部の各位置検出手段５１１によって感知及び伝送された移動部材の移動情報を受信し、これを処理する。
【００２２】
参考までに、本明細書全般にわたって言及される‘各単位別’という文句で、‘各単位’は算盤において一、十、百、千、万、十万、百万、千万、…の単位を指称するものであり、前記ガイドパネル４００上に順次配列される算盤珠３００の桁単位を示す。
【００２３】
前記構成で、ガイドパネル４００は単一パネル上に各単位別位置検出手段５１１の配列を同時にカバーすることができる多数の下部区画４１１を有する構造であり、このような下部区画４１１はそれぞれのガイドブロック４１０の底面に形成され、前記算盤珠位置検出部５１０を構成しているそれぞれの位置検出手段５１１をカバーする。また、ガイドパネル４００は各単位別桁串に外挿された算盤珠の配列が位置する多数の上部区画４１２を有する構造であり、このような上部区画４１２はそれぞれのガイドブロック４１０の上面に形成され、それぞれのガイドブロック４１０の表面には、移動部材６００の移動を案内するために、前記上部区画４１２及び下部区画４１１の共通した長さ中央を貫通する案内孔４１３、４１４が形成されている。本実施形態によれば、ガイドパネル４００を構成する各単位別ガイドブロック４１０は、下部区画４１１の幅が上部区画４１２の幅より狭く形成されることが好ましい。
【００２４】
移動部材６００は、それぞれの算盤珠３００の外周縁端が入れられるＶ形定着溝６１１が形成された頭部６１０と、算盤珠３００の位置移動を検出することができるように、前記頭部６１０の下端中央から突出してそれぞれの位置検出手段５１１のセンサーを遮る細長い形状の延長突起６２０とを含む。本考案によれば、頭部５１０はその幅をそれぞれの算盤珠３００の厚さ以下に形成し、好ましくは算盤珠の厚さの２／３以下の幅を有するように形成してそれぞれの移動部材６００の総重さに対して頭部６１０が占める比率を減らすことが重要である。これにより、算盤珠３００の位置が少しでもずれても他のセンサーによって感知されるかセンサーの作動を妨げることを防止するために、各移動部材６００において下端延長突起６２０の幅を位置検出手段５１１のセンサーを遮る程度（図５ｂ参照）にだけ形成することができるようにし、よって前記のように延長突起６２０の幅が概して細く形成されても延長突起６２０と頭部６１０間の荷重差が最小化することにより、前記各単位別移動部材６００の配列に算盤珠３００をいっぺんに装着することができるように算盤枠１００を一側に傾けて移動部材６００を一側に偏らせても、移動部材６００はガイドパネル４００から溢れ出ずに、各単位別ガイドブロック４１０に装着された状態をそのまま維持することができる。
【００２５】
他の例として、頭部６１０と延長突起６２０間の荷重差によって移動部材が溢れ出ることを防止するために、図４ｂのような移動部材６００’の形態を提供することができる。このような移動部材６００’は、側面から見るとき、頭部６１０の下端が広くて上側に行くほど次第に細くなる形態であり、略台形の構造を有する。したがって、算盤枠１００を傾けて移動部材６００’を一側に偏らせても、頭部６１０の質量中心が下側に位置するので、ガイドパネル４００から溢れ出ることを最小化することができる。
【００２６】
一方、ガイドパネル４００において、上述した案内孔は各単位別ガイドブロック４１０の上部区画４１２と下部区画４１１間の境界面に各単位別移動部材６００の延長突起６２０が移動自在に挿入される概して細い形態の短案内孔４１３と張案内孔４１４とからなり、短案内孔４１３は各単位別ガイドブロック４１０の上側に１区間でなり、張案内孔４１４は各単位別ガイドブロック４１０の下側に前記短案内孔４１３の長さに対応する４個の区間でなる。このように張案内孔４１４を４個の区間で形成する理由は、本考案の電子算盤の組立過程で各単位別移動部材６００の配列に算盤珠３００をいっぺんに装着するために算盤枠を斜めに傾けたとき、移動部材６００が一側に偏り、最下側の頭部６１０に移動部材の重さが集中することを防止し、また移動部材６００の頭部６１０が算盤珠３００の厚さより小さいことにより、算盤枠１００を一側に傾けたときに移動部材が一側に偏るため、各単位別桁串２００に外挿された算盤珠３００を移動部材の頭部６１０にいっぺんに入れることができない問題を解決するためである。これにより、それぞれの移動部材６００はそれぞれの張案内孔４１４の端部にかかり、図５ａ及び図５ｂに示すように、頭部６１０が互いに離隔した状態を維持するようになり、また各単位別移動部材６００の頭部６１０に形成された定着溝６１１の間隔を算盤珠の厚さの分だけ一定に維持することができる。よって、移動部材６００の重さ偏りによって溢れ出ることと算盤珠３００を移動部材の頭部６１０にいっぺんに入れることができない問題を解決することができる。
【００２７】
図６は図２及び図４に示す算盤珠移動部材の変形例を示す斜視図、図７は図６による算盤珠移動部材の設置状態を示す断面図である。
【００２８】
本考案によれば、頭部６１０と延長突起６２０間の荷重差によって移動部材が溢れ出ることを防止するために、追加として図６のような移動部材６００”の形態を提供することができる。このような移動部材６００”は、頭部６１０から下方に一定距離で離隔した地点に横方向に突出する係止突起６２１を備えることができ、このような係止突起６２１は、好ましくは頭部６１０の長手方向に突出する。
【００２９】
このような構成において、移動部材６００”をガイドパネル４００の各単位別ガイドブロック４１０に形成された案内孔４１３、４１４に装着する場合には、移動部材６００”を９０度回転させて各案内孔４１３、４１４と移動部材の定着溝６１１が同一線上に置かれるようにした状態で延長突起６２０を各案内孔４１３、４１４に挿入した後、さらに移動部材を９０度回転させれば、移動部材６００”は係止突起６２１によってガイドブロック４１０にかかった状態を維持するようになる。よって、算盤枠１００を傾けて移動部材６００”を一方に偏らせても、移動部材がガイドパネル４００から溢れ出ることを防止することができる。
【００３０】
以上で本考案の多様な実施例について説明したが、これまで説明した内容は本考案の好適な実施例の中で一部を例示した程度に過ぎず、以下に添付する請求範囲に規定されるものを除き、上述した内容によって制限されない。したがって、本考案は同じ技術分野で通常の知識を有する者であれば以下の請求範囲に記載した範囲内で考案の技術的思想及び要旨を逸脱しない範疇内で均等物の多くの変形、修正及び代替ができるというのが理解可能であろう。
【図１ａ】
0003229244.tif 000003
【図１ｂ】
0003229244.tif 000004
【図２】
0003229244.tif 000005
【図３ａ】
0003229244.tif 000006
【図３ｂ】
0003229244.tif 000007
【図３ｃ】
0003229244.tif 000008
【図４ａ】
0003229244.tif 000009
【図４ｂ】
0003229244.tif 000010
【図５ａ】
0003229244.tif 000011
【図５ｂ】
0003229244.tif 000012
【図６】
0003229244.tif 000013
【図７】
0003229244.tif 000014